(57)【要約】【課題】ミニバンやワンボックス車のような高い天井からボディ側面の低い所に至る広い範囲の塗装面を乾燥できる自動車塗装用乾燥機を提供する。【解決手段】この自動車塗装用乾燥機１は、本体支柱６に昇降可能に取り付けられた昇降支柱７と、この昇降支柱７の中を昇降可能な昇降基台１６と、この昇降基台１６から伸びたアーム１１を介して取り付けられたヒーター部１０とを有する。また、昇降支柱７の上部に取り付けられた第１の滑車８と、第１の滑車８を介して一方の端がアーム１１に接続され、他方の端が第１の定張力バネ部１２に接続された第１のワイヤ９を有する。更に、本体支柱６の上部に取り付けられた第２の滑車２１と、第２の滑車２１を介して一方の端が昇降支柱７に接続され、他方の端が第２の定張力バネ部２３に接続された第２のワイヤ２２とを有する。【選択図】  図１
2005131528.tif 000002
【特許請求の範囲】
【請求項１】
本体支柱に昇降可能に取り付けられた昇降支柱と、
前記昇降支柱の内部を昇降可能な昇降基台と、
前記昇降基台から伸びたアームを介して取り付けられたヒーター部とを有することを特徴とする自動車塗装用乾燥機。
【請求項２】
前記昇降支柱の上部に取り付けられた第１の滑車と、
前記昇降支柱の底部に取り付けられた第１の定張力バネ部と、
前記第１の滑車を介して一方の端が前記アームに接続され、他方の端が前記第１の定張力バネ部に接続された第１のワイヤとを有することを特徴とする請求項１に記載の自動車塗装用乾燥機。
【請求項３】
前記本体支柱の上部に取り付けられた第２の滑車と、
前記本体支柱の底部に取り付けられた第２の定張力バネ部と、
前記第２の滑車を介して一方の端が前記昇降支柱に接続され、他方の端が前記第２の定張力バネ部に接続された第２のワイヤとを有することを特徴とする請求項２に記載の自動車塗装用乾燥機。
【請求項４】
前記第１の定張力バネ部が複数のコンストンバネから伸びた複数の板バネ部を互いに接合して成ることを特徴とする請求項２に記載の自動車塗装用乾燥機。
【請求項５】
前記第２の定張力バネ部が複数のコンストンバネから伸びた複数の板バネ部を互いに接合して成ることを特徴とする請求項３に記載の自動車塗装用乾燥機。
【発明の詳細な説明】
【技術分野】
【０００１】
本発明は、自動車を塗装した後にその塗装部分をヒーターで加熱して乾燥させる自動車塗装用乾燥機に関し、特にその背丈が調整可能な自動車塗装用乾燥機に関する。
【背景技術】
【０００２】
従来、自動車の車体塗装工程において、自動車車体に塗装された塗料を乾燥させるために赤外線ヒーター部を備えた塗装用乾燥機が用いられている。そして、赤外線ヒーター部を自動車車体の塗装箇所に位置合わせするための可動支柱式や、ダンパー式の塗装用乾燥機が開発されている。
【０００３】
このような技術は、例えば以下の特許文献に記載されている。
【特許文献１】特開平８−１８２９５７号公報
【発明の開示】
【発明が解決しようとする課題】
【０００４】
しかしながら、上述した従来の可動支柱式における支柱は１段式だったので、近年、流行りのミニバン、ワンボックス車のような高い天井部分からボディ側面の低い所に至る広い範囲にわたって塗装面を乾燥させるのは困難であった。
【０００５】
また、可動支柱の機構は、滑車を介してヒーター部とおもりを釣り合わせる方式であったので、安定性が悪かった。
【課題を解決するための手段】
【０００６】
そこで、本発明の自動車塗装用乾燥機は、本体支柱に昇降可能に取り付けられた昇降支柱と、この昇降支柱の中を昇降可能な昇降基台と、この昇降基台から伸びたアームを介して取り付けられたヒーター部と、を有することを特徴とするものである。
【０００７】
また、前記昇降支柱の上部に取り付けられた第１の滑車と、記昇降支柱の底部に取り付けられた第１の定張力バネ部と、前記第１の滑車を介して一方の端が前記アームに接続され、他方の端が前記第１の定張力バネ部に接続された第１のワイヤを有することを特徴とするものである。
【０００８】
更に、前記本体支柱の上部に取り付けられた第２の滑車と、前記本体支柱の底部に取り付けられた第２の定張力バネ部と、前記第２の滑車を介して一方の端が前記昇降支柱に接続され、他方の端が前記第２の定張力バネ部に接続された第２のワイヤとを有することを特徴とするものである。
【０００９】
また、前記第１の定張力バネ部及び前記第２の定張力バネ部が複数のコンストンバネから伸びた複数の板バネ部を互いに接合して成ることを特徴とするものである。
【発明の効果】
【００１０】
本発明の自動車塗装用乾燥機によれば、２段昇降方式の採用により、ミニバンやワンボックス車のような高い天井からボディ側面の低い所に至る広い範囲に渡って塗装面を乾燥できる。
【００１１】
また、昇降基台及び昇降支柱を昇降させるための機構として、コンストンバネのような定張力バネの張力を利用したので、従来の滑車を介してヒーター部とおもりを釣り合わせる方式のものに比べて安定性に優れている。
【発明を実施するための最良の形態】
【００１２】
以下、本発明の一実施形態の自動車塗装用乾燥機について図面を参照しながら詳述する。
【００１３】
図１及び図２は本発明の自動車塗装用乾燥機１を示す側面図で、図１は昇降支柱を上昇させた状態、図２は昇降支柱を下降させた状態を示している。
【００１４】
図１及び図２において、２は自動車塗装用乾燥機１を移動可能にする移動台で、スタンド脚３の裏面に前方キャスター４と後方キャスター５が設置されている。
【００１５】
６はスタンド脚３に立設された本体支柱で、この本体支柱６の内部に昇降支柱７が昇降可能に設けられている。この昇降支柱７の内部は空洞になっており、その上部には、滑車ガイド１５によって所定位置にガイドされた第１の滑車８が、図４（ａ）、（ｂ）に示すように設けられている。
【００１６】
この第１の滑車８に第１のワイヤ９が掛けられ、この第１のワイヤ９の一方の端が、ヒーター部１０が取り付けられたアーム１１に固定されている。１６は昇降基台であり、前記アーム１７はこの昇降基台１６から水平方向に伸びるように取り付けられている。そして、昇降基台１６はその側面に取り付けられたガイド部材１７に案内されて昇降支柱７の内部を摺動しながら移動可能に構成されている。
【００１７】
そして、昇降支柱７の底部には第１の定張力バネ部１２が取り付けられ、前記第１のワイヤ９の他方の端に、この第１の定張力バネ部１２が接合部１３を介して固定されている。前記第１の定張力バネ部１２では、図３に示すようにゼンマイ状に巻かれた複数のコンストンバネ１４が上下方向に並設され、これら複数のコンストンバネ１４から伸びた複数の板バネ部１４ａの先端部が、それぞれ前記接合部１３にて、ネジ止め等の方法で接合され固定されている。
【００１８】
従って、ヒーター部１０を上昇させる場合には、作業者がヒーター部１０あるいはアーム１１を手動で持ち上げていくと、板バネ部１４ａの先端部が、複数のコンストンバネ１４の方向に戻されて縮んでいき、前記昇降基台１６、アーム１１及びヒーター部１０が第１の滑車８を介してワイヤ９により釣り上げられるようにして上昇していく。逆に、ヒーター部１０を下降させる場合には、作業者がヒーター部１０あるいはアーム１１を手動で降ろしていくと、前記板バネ部１４ａの先端部が、複数のコンストンバネ１４から伸びていき、昇降基台１６、アーム１１及びヒーター部１０は、第１の滑車８を介してワイヤ９により釣り下げられるようにして下降していく。
【００１９】
ここで、複数のコンストンバネ１４の一定の張力と昇降基台１６、ヒーター部１０及びアーム１１の荷重とが釣り合うように、その張力が調整されているので、前記第１の定張力バネ部１２の定張力により昇降基台１６等の昇降移動は安定しており、その上昇又は下降を停止した位置で、ヒーター部１０は安定に静止する。そして、作業時の安全性を確保するため、アーム１１の移動が完了した後、第１のクランプネジ１８を用いて昇降支柱７に昇降基台１６を固定してヒーター部１０の位置を固定する。
【００２０】
本実施形態では、前記第１の定張力バネ部１２は、昇降基台１６、アーム１１及びヒーター部１０の荷重を考慮して、３つのコンストンバネ１４が重なるようにして前記接合部１３に固定させることで、ヒーター部１０と第１の定張力バネ部１２とが釣り合うように調整している。従って、コンストンバネの数は、昇降基台１６、アーム１１及びヒーター部１０の荷重に応じて適宜調整されるものである。
【００２１】
また、前記昇降支柱７自体を昇降させる機構は、前記ヒーター部１０が取り付けられたアーム１１を昇降させる機構と同様である。即ち、図５に示すように本体支柱６の上部に第２の滑車２１が設けられており、この第２の滑車２１に第２のワイヤ２２が掛けられ、この第２のワイヤ２２の一方の端が前記昇降支柱７の底部側面に固定されている。そして、前記第１のワイヤ２２の他方の端に第２の定張力バネ部２３が接合部２４を介して固定されている。第２の定張力バネ部２３は、本体支柱６の底部に取り付けられている。
【００２２】
前記第２の定張力バネ部２３では、ゼンマイ状に巻かれた複数のコンストンバネ２５から伸びた複数の板バネ部２５ａの先端部が、それぞれ前記接合部２４にて接合され固定されている。
【００２３】
従って、前記昇降支柱７を上方に移動させる場合には、作業者が昇降支柱７に設けられた昇降レバー１５を使って昇降支柱７を手動で持ち上げていくと、前記板バネ部２５ａの先端部が縮んでいき、前記昇降支柱７は第２の滑車２１を介して第２のワイヤ２２により釣り上げられるようにして上昇していく。逆に、昇降支柱７を下降させる場合には、作業者が昇降レバー１５を使って昇降支柱７を手動で降ろしていくと、前記板バネ部１４ａの先端部が、複数のコンストンバネ１４から伸びていき、前記昇降支柱７は第２の滑車２１を介してワイヤ９により釣り下げられるようにして下降していく。
【００２４】
尚、図示した説明は省略するが、第２の滑車２１にも対応する滑車ガイドが設けられている。また、昇降支柱７は、本体支柱６に設けられたガイドが本体支柱６の内壁に沿って摺動しながら移動する。
【００２５】
ここで、複数のコンストンバネ２５の一定の張力と昇降支柱７とが釣り合うように、その張力が調整されているので、前記第２の定張力バネ部２３の定張力により昇降支柱７の昇降動作は安定しており、その上昇又は下降を停止した位置で、昇降支柱７は安定に静止する。そして、作業時の安全性を確保するため、昇降支柱７の移動が完了した後、第２のクランプネジ２６を用いて本体支柱６に昇降支柱７を固定する。
【００２６】
本実施形態では、前記第２の定張力バネ部２３は、ヒーター部１０等を含めた昇降支柱７の全荷重を考慮して、６つのコンストンバネ２５が重なるようにして前記接合部１３に固定させることで、昇降支柱７の荷重と第２の定張力バネ部２３の定張力とが釣り合うように調整している。従って、コンストンバネの数は、昇降支柱７の荷重に応じて適宜調整されるものである。
【００２７】
また、前記ヒーター部１０は、図６及び図７に示すように３列の赤外線ヒーター３０が具備され、図６に示すように両側の赤外線ヒーター３０は、角度調整機構３１により所望の角度位置に赤外線ヒーター３０を準備させることができる。角度調整機構３１は、赤外線ヒーター３０とヒーター取付部３３との間に金属板３４をネジ３５止めした構成で、ヒーター取付部３３側のネジ３５止め穴は長穴となっており、この長穴を利用して、赤外線ヒーター３０の向きが所望の角度となる位置で固定する。また、上下２つの赤外線ヒーター３０については、それ自身が回転可能に構成されている。そして、図１に示す３６はコントロールボックスで、３７はヒータースイッチで、３８はコードで、３９は取手である。
【００２８】
以下、この自動車塗装用乾燥機１の使用方法について説明する。
例えば、ミニバンやワンボックス車のような高い天井からボディ側面の低い所に至る広い範囲を塗装し、乾燥させる場合において、先ず、側面を乾燥させる際、図２に示すように昇降基台１６を一番下の位置に固定しておき、ヒーター部１０をボディ側面に対面するように準備する。そして、ヒータースイッチ３７をオンさせて赤外線ヒーター３０からの熱により塗装面を乾燥させる。
【００２９】
続いて、ボディ側面のもう少し上方を乾燥させるため、作業者は、ヒーター部１０あるいはアーム１１を持ち上げる。このとき、図５に示すように昇降支柱７の内部において第１の定張力バネ部１２を構成する各コンストンバネ１４の各板バネ部１４ａの先端部が縮んでいき、前記アーム１１が第１の滑車８を介して第１のワイヤ９により釣り上げられるようにして第１の滑車８がある上方向に上昇する。そして、アーム１１の移動が完了した後、作業者は、第１のクランプネジ１８を用いて昇降支柱７に昇降基台１６を固定してヒーター部１０の位置を固定させた後、この塗装部分を乾燥させる。
【００３０】
更に、ボディ側面のもう少し上方を乾燥させるため、作業者は昇降レバー１５を持って昇降支柱７を上昇させる。このとき、本体支柱６の上部に設けられた第２の滑車２１に掛けられた第２のワイヤ２２を介して昇降支柱７が釣り上げるようにして第２の滑車２１がある上方向に上昇させられる。そして、作業者は、作業時の安全性を確保するため、昇降支柱７の移動が完了した後、第２のクランプネジ２６を用いて本体支柱６に昇降支柱７を固定させた後、その塗装部分を乾燥させる。
【００３１】
最後に、車体の天井部分を乾燥させるため、図１に示すように昇降支柱７を一番上まで持ち上げた後、赤外線ヒーター３０を天井面に対面させるようにヒーター部１０を固定する。そして、天井の塗装部分を乾燥させる。
【００３２】
このように本発明では、昇降基台１６と昇降支柱７による２段昇降方式を採用したことで、ミニバンやワンボックス車のような高い天井からボディ側面の低い所に至る広い範囲の塗装面を乾燥させることができる。また、昇降基台１６及び昇降支柱７を昇降させるための機構として、定張力バネの張力を利用しているので、従来の滑車を介してヒーター部とおもりを釣り合わせる方式のものに比べて安定性に優れた自動車塗装用乾燥機１を提供できる。
【図面の簡単な説明】
【００３３】
【図１】本発明の実施形態に係る自動車塗装用乾燥機を示す側面図である。
【図２】本発明の実施形態に係る自動車塗装用乾燥機を示す側面図である。
【図３】第１の定張力バネ部を示す図である。
【図４】昇降支柱を示す図である。
【図５】本体支柱と昇降支柱を示す図である。
【図６】ヒーター部を示す図である。
【図７】ヒーター部を示す図である。
【符号の説明】
【００３４】
１…自動車塗装用乾燥機、２…移動台、３…スタンド脚、４…前方キャスター、
５…後方キャスター、６…本体支柱、７…昇降支柱、８…第１の滑車、
９…第１のワイヤ、１０…ヒーター部、１１…アーム、１２…第１の定張力バネ部、１３…接合部、１４…コンストンバネ、１４ａ…板バネ部、１５…滑車ガイド、
１６…昇降基台、１７…ガイド、１８…第１のクランプネジ、２１…第２の滑車、
２２…第２のワイヤ、２３…第２の定張力バネ部、２４…接合部、
２５…コンストンバネ、２５ａ…板バネ部、２６…第２のクランプネジ、
３０…赤外線ヒーター、３１…角度調整機構、３６…コントロールボックス、
３７…ヒータースイッチ
【図１】
2005131528.tif 000003
【図２】
2005131528.tif 000004
【図３】
2005131528.tif 000005
【図４】
2005131528.tif 000006
【図５】
2005131528.tif 000007
【図６】
2005131528.tif 000008
【図７】
2005131528.tif 000009